(57)【要約】      （修正有）【課題】ゴミ箱におけるゴミ袋の、全自動での装着および包装機能の実現を容易にする、ゴミ袋ユニットおよびゴミ袋ユニット位置決め機構を提供する。【解決手段】ゴミ袋ユニットは、収納本体１と蓋体２とを含む。収納本体は、第一開孔１１と、第一開孔の外側を囲むゴミ袋を収納する環状凹溝３とを有する。蓋体は、第一開孔に対応する第二開孔１２を有し、環状凹溝の開口部を覆い、蓋体と環状凹溝の一つの側壁との間にゴミ袋の出口を形成する間隙を有する。ゴミ袋ユニット位置決め機構は、ゴミ箱本体内のゴミ袋コンテナを支持する収納ラックを含む。ゴミ袋コンテナは、ゴミを通過させる第三開孔を有し、収納ラックは、第三開孔に対応する第四開孔を有し、ゴミ箱本体はゴミ袋コンテナの出し入れ用の通路を有する。【選択図】図１
2020007152.tif 000002
【特許請求の範囲】
【請求項１】
スマートゴミ箱のゴミ袋ユニットであって、
ゴミを通過させる第一開孔（１１）と、前記第一開孔（１１）の外側を囲み、ゴミ袋（４）の収納に用いる環状凹溝（３）とが設けられた収納本体（１）、および
前記第一開孔（１１）に対応する第二開孔（１２）が設けられ、前記環状凹溝（３）の開口部を覆い、前記環状凹溝（３）の一つの側壁との間に間隙が設けられてゴミ袋の出口を形成する蓋体（２）
を含むことを特徴とするゴミ袋ユニット。
【請求項２】
前記蓋体（２）は一つの側辺を介して前記収納本体（１）と回動可能に連結されて一体型構造を形成するか、または、前記蓋体（２）と前記収納本体（１）とは取り外し可能に連結されることを特徴とする請求項１に記載のゴミ袋ユニット。
【請求項３】
筒状構造のゴミ袋（４）をさらに含み、前記筒状構造の内部は全体が貫通され、かつ、その両端のうち少なくとも一端に開口を有し、前記ゴミ袋（４）は、蛇腹状に折り畳まれて環状をなして、前記環状凹溝（３）内にセットされることを特徴とする請求項１または２に記載のゴミ袋ユニット。
【請求項４】
前記ゴミ袋（４）の出口を形成するための前記環状凹溝（３）の側壁縁に折り返し縁構造（５）が設けられ、前記折り返し縁構造（５）は、前記環状凹溝（３）の溝の外側に向かって折り返されることを特徴とする請求項１に記載のゴミ袋ユニット。
【請求項５】
前記環状凹溝（３）の開口方向と前記第一開孔（１１）の開口方向とが一致しており、前記環状凹溝（３）の内壁は前記第一開孔（１１）に近い方の側壁であり、前記環状凹溝（３）の外壁は前記第一開孔（１１）から遠い方の側壁であり、
前記蓋体（２）の内縁と前記内壁との間に前記間隙が形成され、前記蓋体（２）の外縁は前記外壁と連結されることを特徴とする請求項１に記載のゴミ袋ユニット。
【請求項６】
前記蓋体（２）の外縁の一つの側辺と前記環状凹溝（３）の外壁とは回動可能に連結されることを特徴とする請求項５に記載のゴミ袋ユニット。
【請求項７】
前記蓋体（２）の外縁に折り曲げ構造（６）が設けられ、前記折り曲げ構造（６）と前記環状凹溝（３）の外壁とは締まり嵌めされるか、または、バックル構造を介して互いに係合されることを特徴とする請求項５に記載のゴミ袋ユニット。
【請求項８】
前記バックル構造は、係止溝、および前記係止溝と係合するように設置された係止ブロックを含み、前記係止溝と前記係止ブロックのうちの一方は前記折り曲げ構造（６）の内側に設置され、他方は前記環状凹溝（３）の外壁に設置されることを特徴とする請求項７に記載のゴミ袋ユニット。
【請求項９】
請求項１〜８のいずれか一項に記載のゴミ袋ユニットを含むことを特徴とするスマートゴミ箱。
【請求項１０】
前記ゴミ袋ユニット（１０）はゴミ袋コンテナを含み、前記ゴミ袋コンテナにはゴミを通過させる第三開孔（１３）が設けられているスマートゴミ箱であって、
ゴミ袋ユニット位置決め機構をさらに含み、前記ゴミ袋ユニット位置決め機構は、ゴミ箱本体（１４）内に設置された、前記ゴミ袋コンテナを支持する収納ラック（１５）を含み、かつ、前記収納ラック（１５）には前記第三開孔（１３）に対応する第四開孔（１７）が設けられ、前記ゴミ箱本体（１４）には前記ゴミ袋コンテナの出し入れに供する通路が設けられることを特徴とする請求項９に記載のスマートゴミ箱。
【請求項１１】
前記通路は、前記ゴミ箱本体（１４）の頂部または側部に設けられることを特徴とする請求項１０に記載のスマートゴミ箱。
【請求項１２】
前記収納ラック（１５）と前記ゴミ箱本体（１４）とは、一体型構造または分離型構造であることを特徴とする請求項１０に記載のスマートゴミ箱。
【請求項１３】
前記ゴミ袋コンテナを固定するための、前記ゴミ袋コンテナの上方に設けられたプレスカバー（１６）をさらに含み、前記プレスカバー（１６）には前記第三開孔（１３）および前記第四開孔（１７）に対応する第五開孔（１８）が設けられ、かつ、前記プレスカバー（１６）と前記ゴミ箱本体（１４）とは取り外し可能に連結されることを特徴とする請求項１０に記載のスマートゴミ箱。
【請求項１４】
前記プレスカバー（１６）と前記ゴミ箱本体（１４）との間に吸着装置が設けられることを特徴とする請求項１３に記載のスマートゴミ箱。
【請求項１５】
前記吸着装置は強磁気吸着構造であり、
前記強磁気吸着構造は、前記プレスカバー（１６）上に設けられた第一磁石と、前記ゴミ箱本体（１４）内に設けられた第二磁石とを含み、前記第一磁石の磁力と前記第二磁石の磁力とが吸引し合って前記プレスカバー（１６）を前記ゴミ袋コンテナの上方に押し付けるか、または、
前記強磁気吸着構造は、一つの磁石と一つの鉄ブロックとが吸引し合って前記プレスカバー（１６）をゴミ袋コンテナの上方に押し付けるものであり、前記磁石と鉄ブロックのうちの一方は前記プレスカバー（１６）上に設けられ、他方は前記ゴミ箱本体（１４）内に設けられる
ことを特徴とする請求項１４に記載のスマートゴミ箱。
【発明の詳細な説明】
【技術分野】
【０００１】
本発明は、スマートゴミ箱の技術分野に関し、より具体的には、ゴミ袋ユニット、ゴミ袋ユニット位置決め機構およびスマートゴミ箱に関する。
【背景技術】
【０００２】
科学技術の発展と人々の生活水準の向上に伴い、スマートホームは次第に日常生活の一部として欠かせなくなってきている。中でも、スマートゴミ箱は、清潔かつ衛生的で、便利に使用できるという特徴により、人々の注目を集めている。
【０００３】
従来技術において、スマートゴミ箱の自動化のレベルはますます高まっているが、全自動での装着および包装技術は未だ完全ではない。その原因は、ゴミ袋の全自動での装着および包装技術が、自動装着装置、自動包装装置、自動装着および自動包装に適したゴミ袋、ゴミ袋収納装置などの様々な構成要素の組み合わせに依存していることであり、この中のどの要素が不完全であっても、ゴミ袋の全自動での装着および包装を実現することはできない。
【０００４】
ゴミ袋に関しては、現在市販されている一般的ないくつかの種類のゴミ袋の形態としては、取手なしゴミ袋、手提げタイプのゴミ袋、ひも付きゴミ袋などがあり、その包装形態の多くがロール状であるが、一部の手提げタイプのゴミ袋は平たく折り畳まれた包装を用いており、さらに、少数のゴミ袋の中には１枚ずつ取り出すタイプの包装を用いているものもある。それらに共通する特徴としては、包装の体積が小さく、製造コストが低いことが挙げられるが、プラスチック製ゴミ袋は柔軟性が高いため、簡易な機械ではゴミ袋の取り出しや装着を実現することができず、手作業で交換用のゴミ袋をゴミ箱に被せなければ新しいゴミ袋の装着を完了できないという欠点がある。また、ゴミ袋の内部容量は一定であるため、ゴミ袋の包装要件を満たすために、通常、内部のゴミの封入量はゴミ袋の容量より少なくなる。一般的なゴミ袋では、袋の口を閉じるためには２／３の容量しかゴミを封入することができないため、ゴミの廃棄に不利であり、清掃員がゴミを処理する際にゴミが散らばりやすく、環境に悪影響を及ぼす。また、ゴミ袋という資源の浪費にもつながる。例えば、ひも付きゴミ袋は、ゴミ袋の容量スペースを十分に利用できるものの、その容量が限られているため、使用の際に、体積が比較的大きいゴミを封入することができず、かつ、手作業で袋を装着する必要があるため、袋の自動装着を行うには不利である。
【０００５】
ゴミ袋収納装置に関しては、現在、市販されているゴミ箱製品の多くがゴミ袋を収納するための専用の装置を備えておらず、一部の少数のゴミ箱製品において、筒体の底部または外部に、専らロール状のゴミ袋の保管に用いられる収納装置が設置されているだけであり、ゴミ袋の全自動での装着および包装の実現の必要性を満たすには程遠い。
【０００６】
したがって、簡易な機械を用いてゴミ袋の全自動での装着および包装を容易に実現するために、如何にしてゴミ袋を収納するか、また、ゴミ箱の自動化およびスマート化のレベルを如何にしてより一層向上させるかということは、当業者が解決すべき重要な技術的課題である。
【発明の概要】
【０００７】
関連製品における課題を少なくともある程度克服するために、本発明は、スマートゴミ箱への適用が可能なゴミ袋ユニットを提供して、ゴミ箱におけるゴミ袋の全自動での装着および包装機能の実現を容易にし、ゴミ箱の自動化およびスマート化のレベルをより一層向上させることを第一の目的とする。
【０００８】
スマートゴミ箱のゴミ袋ユニットは、
ゴミを通過させる第一開孔と、前記第一開孔の外側を囲み、ゴミ袋の収納に用いる環状凹溝とが設けられた収納本体、および
前記第一開孔に対応する第二開孔が設けられ、前記環状凹溝の開口部を覆い、前記環状凹溝の一つの側壁との間に間隙が設けられてゴミ袋の出口を形成する蓋体
を含む。
【０００９】
好ましくは、前記蓋体は一つの側辺を介して前記収納本体と回動可能に連結されて一体型構造を形成するか、または、前記蓋体と前記収納本体とは取り外し可能に連結される。
【００１０】
好ましくは、筒状構造のゴミ袋をさらに含み、前記筒状構造の内部は全体が貫通され、かつ、その両端のうち少なくとも一端に開口を有し、前記ゴミ袋は、蛇腹状に折り畳まれて環状をなして、前記環状凹溝内にセットされる。
【００１１】
好ましくは、前記ゴミ袋の出口を形成するための前記環状凹溝の側壁縁に折り返し縁構造が設けられ、前記折り返し縁構造は、前記環状凹溝の外側に向かって折り返される。
【００１２】
好ましくは、前記環状凹溝の開口方向と前記第一開孔の開口方向とが一致しており、前記環状凹溝の内壁は前記第一開孔に近い方の側壁であり、前記環状凹溝の外壁は前記第一開孔から遠い方の側壁である。
【００１３】
好ましくは、前記蓋体の内縁と前記内壁との間に前記間隙が形成され、前記蓋体の外縁は前記外壁と連結される。
【００１４】
好ましくは、前記蓋体の外縁の一つの側辺と前記環状凹溝の外壁とは回動可能に連結される。
【００１５】
好ましくは、前記蓋体の外縁に折り曲げ構造が設けられ、前記折り曲げ構造と環状凹溝の外壁とは締まり嵌めされるか、または、バックル構造を介して係合される。
【００１６】
好ましくは、前記バックル構造は、係止溝、および前記係止溝と嵌合するように設置された係止ブロックを含み、前記係止溝と前記係止ブロックのうちの一方は前記折り曲げ構造の内側に設置され、他方は前記環状凹溝の外壁に設置される。
【００１７】
好ましくは、前記収納本体および前記蓋体は方形環状であり、かつ、各々の角が面取りされている。
【００１８】
好ましくは、前記収納本体および前記蓋体の材質は、金属、プラスチック、または紙である。
【００１９】
本発明は、前述のいずれかの項目に記載のゴミ袋ユニットを含むスマートゴミ箱を提供することを第二の目的とする。
【００２０】
本発明が提供する技術的解決手段は、以下の有益な効果を奏することができる。
【００２１】
前記ゴミ袋ユニットは、スマートゴミ箱に適用することができ、これによってゴミ袋の全自動での装着および包装機能が容易に実現され、ひいてはゴミ箱の自動化およびスマート化のレベルをより一層向上させることができる。また、製造、保管および輸送の過程におけるゴミ袋の破損の発生が効果的に防止される。環状凹溝の大きさは、ゴミ箱の使用密度や使用する場面に合わせて異なる大きさに設定することができ、ゴミ袋の収容量や包装長さの調節が容易で、資源を節約することができる。また、ゴミ袋交換時の取り扱いが簡便であり、効率の改善に利する。
【００２２】
ゴミ袋ユニットは一体型構造であり、組み立てが容易で、製造および設置コストの低減に利する。
【００２３】
該収納本体および蓋体の構造は、ゴミ袋の移動自由度を制限して、ゴミ袋を一方向にしか移動できないようにするだけでなく、ゴミ袋の形態を固定することもでき、ゴミ袋を常に広げた状態にしておくことができるため、ゴミ袋の自動装着プロセスからゴミ袋を広げるステップを省くことができ、ゴミ袋の自動装着および包装機構を大幅に簡略化させ、実現を容易にし、操作を簡便にすることができる。
【００２４】
ここで、ゴミ袋ユニットは基本的に制限されず、より多くのゴミを封入することができる。その上、ゴミの量に応じて主体的に包装位置を選択することが可能で、残りの長さのゴミ袋を続けて使用することができるため、ゴミ袋の容量を十分に利用して、ゴミ袋という資源の浪費を防止することができる。また、自動包装および自動ゴミ袋交換の実現が容易となり、従来のスマートゴミ箱の自動化およびスマート化のレベルを向上させることができる。
【００２５】
好ましくは、前記収納本体と前記スマートゴミ箱の筒体とは一体型構造である。
【００２６】
好ましくは、前記スマートゴミ箱は、ゴミ袋ユニット位置決め機構をさらに含み、前記ゴミ袋ユニットはゴミ袋コンテナを含み、前記ゴミ袋コンテナにはゴミを通過させる第三開孔が設けられ、前記位置決め機構は、ゴミ箱本体内に設置された、前記ゴミ袋コンテナを支持する収納ラックを含み、かつ、前記収納ラックには前記第三開孔に対応する第四開孔が設けられ、前記ゴミ箱本体には前記ゴミ袋コンテナの出し入れに供する通路が設けられる。
【００２７】
当業者であれば、前記ゴミ袋コンテナが収納本体と蓋体とから構成されることを容易に理解できるであろう。前記ゴミ袋コンテナは、形式上、蓋体と収納本体とに分かれ、前記蓋体が、一つの側辺を介して前記収納本体と回動可能に連結されて形成される一体型構造であってもよい。また、蓋体と収納本体とを二つの部品に分けて、ゴミ袋コンテナを組み立てて使用してもよい。
【００２８】
好ましくは、前記通路は、前記ゴミ箱本体の頂部に設けられる。
【００２９】
好ましくは、前記通路は、前記ゴミ箱本体の側部に設けられる。
【００３０】
好ましくは、前記収納ラックと前記ゴミ箱本体とは一体型構造である。
【００３１】
好ましくは、前記収納ラックと前記ゴミ箱本体とは分離型構造である。
【００３２】
好ましくは、前記収納ラックは環状凹溝構造とされ、前記環状凹溝構造は前記ゴミ箱本体の内周を囲んで設けられ、前記ゴミ袋コンテナは前記環状凹溝構造内に設置される。
【００３３】
好ましくは、前記収納ラックと前記ゴミ箱本体との間にイジェクト機構が設けられ、前記収納ラックは、前記イジェクト機構の作用によって前記通路に排出されるか、または、前記通路内に係止される。あるいは、前記収納ラックと前記ゴミ箱本体との間に電動イジェクト機構が設けられ、前記電動イジェクト機構は、モータと、前記モータに接続された伝動装置とを含み、前記モータは前記伝動装置を介して前記収納ラックを押し出すことができる。
【００３４】
好ましくは、前記ゴミ袋コンテナを固定するための、前記ゴミ袋コンテナの上方に設けられたプレスカバーをさらに含み、前記プレスカバーには前記第三開孔および前記第四開孔に対応する第五開孔が設けられ、かつ、前記プレスカバーと前記ゴミ箱本体とは取り外し可能に連結される。
【００３５】
好ましくは、前記プレスカバーと前記ゴミ箱本体との間に吸着装置が設けられる。
【００３６】
好ましくは、前記吸着装置は強磁気吸着構造であり、前記強磁気吸着構造は、前記プレスカバー上に設けられた第一磁石と、前記ゴミ箱本体内に設けられた第二磁石とを含み、前記第一磁石の磁力と前記第二磁石の磁力とが吸引し合って前記プレスカバーを前記ゴミ袋コンテナの上方に押し付けるか、または、
前記強磁気吸着構造は、一つの磁石と一つの鉄ブロックとが吸引し合ってプレスカバーをゴミ袋コンテナの上方に押し付けるものであり、前記磁石と鉄ブロックのうちの一方はプレスカバー上に設けられ、他方はゴミ箱本体内に設けられる。
【００３７】
本願が提供する技術的解決手段は、以下の有益な効果を奏することができる。
【００３８】
従来技術では、ゴミ袋を使い切ったときに、ゴミ箱筒体内からゴミ袋収納ラックを取り外して、新しいゴミ袋をゴミ袋収納ラックの収納スペース内に入れ、それからゴミ袋収納ラックをゴミ箱筒体内に取り付ける必要があり、ゴミ袋の着脱が面倒であり、時間と労力を要していた。
【００３９】
本発明が提供するスマートゴミ箱のゴミ袋ユニット位置決め機構は、ゴミ箱本体内にゴミ袋ユニットを支持する収納ラックが設けられ、ゴミ袋コンテナ内のゴミ袋を使い切ったときに、ゴミ袋コンテナを取り出して、新しいゴミ袋が装入されたゴミ袋コンテナを入れるだけでよく、ゴミ袋収納ラックを着脱する必要がないため、ゴミ袋の交換が容易になり、前述の課題が解決される。
【００４０】
なお、上記の一般的な記述および後述の詳細な記述は、例示的かつ説明的なものであり、本願を制限するものではない。
【図面の簡単な説明】
【００４１】
【図１】本発明の実施例１におけるスマートゴミ箱のゴミ袋ユニットの構造図である。
【図２】本発明の実施例１におけるゴミ袋ユニットの縦断面図である。
【図３】本発明の実施例１におけるゴミ袋ユニットの断面図である。
【図４】本発明の実施例１における第一のゴミ袋折り畳み機構図である。
【図５】本発明の実施例１における第二のゴミ袋折り畳み機構図である。
【図６】本発明の実施例２におけるゴミ袋ユニットの斜視図である。
【図７】本発明の実施例２における第一の好適な態様のゴミ袋ユニット位置決め機構の部分断面図である。
【図８】本発明の実施例２における第二の好適な態様のゴミ袋ユニット位置決め機構の部分断面図である。
【図９】本発明の実施例２におけるイジェクト機構の構造模式図である。
【図１０】本発明の実施例２におけるイジェクト機構のスライドレールの拡大模式図である。
【図１１】本発明におけるスマートゴミ箱の斜視図である。
【図１２】本発明における蓋体と収納本体とが取り外し可能に連結される構造模式図である。
【図１３】本発明における収納本体とスマートゴミ箱の筒体とが一体型構造とされる構造模式図である。
【発明を実施するための形態】
【００４２】
ここでは、例示的な実施例を詳細に説明し、その例示を図面に示す。以下の図面に関する記述において、特に断らない限り、異なる図面における同一の数字は同一または類似の要素を示す。以下の例示的な実施例において記述される実施形態は、本願と一致するすべての実施形態を表すものではない。そうではなく、それらは、「特許請求の範囲」に詳述されているような、本願の一部の態様と一致する装置または方法の例示に過ぎない。
【００４３】
以下に、図面を参照しながら実施例を説明する。なお、以下に示す実施例は、「特許請求の範囲」に記載された発明の内容を何ら限定するものではない。また、以下の実施例に示される構成のすべての内容は、「特許請求の範囲」に記載の発明の解決手段として必須の内容に限定されるものではない。
【００４４】
実施例１
この具体的な実施形態は、図１〜図５に示す、収納本体１と蓋体２とを含むスマートゴミ箱のゴミ袋ユニットを提供する。収納本体１には該収納本体１を貫通する第一開孔１１が設けられ、蓋体２には第二開孔１２が設けられ、ゴミが第一開孔１１と第二開孔１２とを通過してゴミ箱内に入るように、第一開孔１１と第二開孔１２とは互いに対応して設けられる。ここで、第一開孔１１および第二開孔１２の大きさおよび形状は限定されず、円形であってもよく、方形または他の形状であってもよい。
【００４５】
収納本体１において、第一開孔１１の外側を囲んで、ゴミ袋４を収納するための環状凹溝３が設けられる。ここで、環状凹溝３は開口を有し、開口方向は第一開孔１１の方向を向いていてもよく、第一開孔１１とは反対の方向を向いていてもよく、第一開孔１１の開口方向と一致していてもよい。環状凹溝３の大きさはゴミ袋４の収納量に関わるため、使用する場面や使用密度に合わせて異なる大きさの環状凹溝３を設けることができる。ゴミ袋４の使用量が比較的多い場合には、比較的容量が大きい環状凹溝３を設けることができ、逆の場合には比較的容量の小さい環状凹溝３を設けることができる。
【００４６】
蓋体２は環状凹溝３の開口部を覆う。蓋体２が環状凹溝３の開口部を覆うと、ゴミ袋４は環状凹溝３内に留められ、蓋体２と環状凹溝３の一つの側壁とから形成される環状の間隙であるゴミ袋の出口を介してのみ、ゴミ袋４を引き出すことができる。該間隙の大きさは限定されず、その機能を実現することができる大きさであればよい。
【００４７】
使用の際には、環状のゴミ袋４を環状凹溝３の内部に入れ、ゴミ袋４の一端の開口をゴミ袋の出口から引き出して閉じる。このように、ゴミ袋の交換が必要な場合は、ゴミ箱内部の真空装置を起動しさえすれば、真空装置の作用により、ゴミ袋４が強い大気圧を受けてゴミ箱の内部に押し込まれて、ゴミ袋の自動装着が完了する。ゴミ袋４の包装やヒートシールが必要な場合は、自動包装機構を作動させるだけで、プレスバーの作用により、ゴミ袋４が熱溶着装置に押し込まれて、ゴミ袋４の溶断およびヒートシールが行われる。
【００４８】
該収納本体１および蓋体２の構造は、ゴミ袋４の移動自由度を制限してゴミ袋４を一方向にしか移動できないようにするだけでなく、ゴミ袋４の形態を固定して、ゴミ袋４を常に広げた状態にしておくこともできるため、ゴミ袋の自動装着プロセスからゴミ袋を広げるステップを省くことができ、ゴミ袋の自動装着および包装機構を大幅に簡略化させ、実現を容易にし、操作を簡便にすることができる。
【００４９】
このような設置により、該ゴミ袋ユニットは、スマートゴミ箱に適用することができ、これによってゴミ袋の全自動での装着および包装機能が容易に実現され、ゴミ箱の自動化およびスマート化のレベルをより一層向上させることができる。また、製造、保管および輸送の過程におけるゴミ袋の破損の発生が効果的に防止される。環状凹溝３の大きさは、ゴミ箱の使用密度や使用する場面に合わせて異なる大きさに設定することができ、コンテナ内のゴミ袋の収容量や包装長さを調節することが容易で、資源を節約することができる。ロール単位でゴミ袋を交換する場合に比べて、ゴミ袋の交換が一段と容易で、効率の向上に利する。ゴミ袋ユニットは一体型構造であり、組み立てが容易で、製造および設置コストの低減に利する。
【００５０】
なお、環状凹溝３の開口部を覆う蓋体２の固定方式は、蓋体２が収納本体１と直接連結され、前記蓋体２が一つの側辺を介して前記収納本体１と回動可能に連結されて一体型構造を形成する方式であってもよい。このようにして、本ゴミ袋ユニットの安定性および信頼性を保証することができる。図１２に示すように、蓋体２と収納本体１とが取り外し可能に連結されてもよい。こうすることにより、ゴミ袋を取り付ける際に、蓋体２を完全に取り外すことができ、ゴミ袋の装着が容易となる。当然ながら、他の固定方式としてもよい。
【００５１】
本ゴミ袋ユニットは、収納本体１に適合し、かつ、収納本体１の環状凹溝３内に装入することができるゴミ袋４をさらに含む。ここで、ゴミ袋４は、内部全体が貫通された筒状構造を呈しており、両端がともに開口を有する形式でもよく、一端に開口を有して他端は閉じた形式でもよい。また、該ゴミ袋４は、折り畳まれて環状をなすように、その軸方向に沿って蛇腹状に折ることができ、その環状の大きさは、環状凹溝３の内部に装入できるように、環状凹溝３の大きさと一致させる。該ゴミ袋４は一体型の、ミシン目が入っていないタイプであるため、ゴミ袋４の長さは限定されず、使用の際に、相応の長さに切って折り畳み、環状凹溝３内に装入することができる。
【００５２】
なお、ゴミ袋４を蛇腹状に折り畳む方式は図４および５に示す方式であり、折り畳み方向は環状凹溝３の側壁に垂直であってもよく、環状凹溝３の側壁に平行であってもよく、また、具体的な状況に応じて、それ以外の方向であってもよい。
【００５３】
ゴミ袋４を使用する際、必要に応じて一定の長さおよび直径を有するゴミ袋４を切り出すことができる。手作業で、または一定の工具によって、ミシン目が入っていない一体型筒状ゴミ袋をその軸方向に沿って環状に折り畳み、折り畳まれた環状のゴミ袋４を収納本体１の環状凹溝３内に配置することで、ゴミ袋４の装入が完了する。さらに、ゴミ袋が装入されたゴミ袋ユニットをゴミ箱の対応する位置の対応する構造内に置くことで、このミシン目が入っていない一体型筒状ゴミ袋を使用することができる。当然ながら、環状凹溝３内に押し込まれたゴミ袋４の一端を引き出してシールしてもよい。ここで、シール方式はヒートシールであってもよいが、ヒートシールに限らず、一つ目のゴミ袋の自動使用が容易なその他のシール方式であってもよく、シールを行わず、手作業で一定の距離だけ下げて、自動包装機構に自動包装およびシールを行わせてもよい。
【００５４】
このような設置により、従来のゴミ袋に比べて、該ゴミ袋ユニットは基本的に制限されず、より多くのゴミを封入することができる。また、ゴミの量に応じて主体的に包装位置を選択することが可能で、残りの長さのゴミ袋を続けて使用することができるため、ゴミ袋の容量を十分に利用して、ゴミ袋という資源の浪費を防止することができ、自動包装および自動ゴミ袋交換の実現が容易となり、従来のスマートゴミ箱の自動化およびスマート化のレベルを向上させることができる。
【００５５】
本実施例において、図３に示すように、ゴミ袋の出口を囲む環状凹溝３の一つの側壁縁に折り返し縁構造５が設けられ、かつ、該折り返し縁構造５は環状凹溝３の外側に向かって折り返される。これにより、該折り返し縁構造５は、ゴミ袋４をゴミ袋出口から引き出す際に、ゴミ袋４へのガイド機能を果たすだけでなく、引っかきによるゴミ袋４の損傷を防止して、資源の浪費を減少させることができる。
【００５６】
一部の実施例において、環状凹溝３の開口方向と第一開孔１１の開口方向とは一致している。この場合、環状凹溝３を囲む二つの側壁は内壁と外壁であり、内壁は第一開孔１１に近い一側に位置しており、第一開孔１１と環状凹溝３の内部空間とを仕切ることができ、外壁は第一開孔１１から離れた一側に位置しており、環状凹溝３と外部空間とを仕切ることができる。これにより、環状凹溝３の開口と内部空間の周方向の長さはほぼ一致するため、ゴミ袋４の装入が容易になり、さらに、環状凹溝３と蓋体２の連結がより安定し、ゴミ袋ユニットの一体化のレベルの向上に利する。
【００５７】
蓋体２は第二開孔１２を有する構造であるため、蓋体２は第二開孔１２に近い内縁と第二開孔１２から離れた外縁を有する。ここで、蓋体２の内縁と環状凹溝３の内壁との間にはゴミ袋の出口を形成する間隙が存在し、蓋体２の外縁と環状凹溝３の外壁が互いに連結される。これにより、ゴミ袋４の一端をゴミ袋の出口の間隙部から引き出して閉じることができる。ゴミ袋を装着する際に、外気が第二開孔１２および第一開孔１１を介してゴミ袋４をゴミ箱内に押し込む。このとき、ゴミ袋４をゴミ袋の出口部分から順に引き出すことができる。これにより、ゴミ袋資源の浪費を減少させることができ、さらに、ゴミ袋を常に広げた状態にしておくことができるため、ゴミ袋の装着プロセスにおいてゴミ袋を広げるステップを省くことができ、ゴミ袋の全自動での装着および包装機能の実現を容易にし、ゴミ箱の自動化およびスマート化のレベルをより一層向上させる。
【００５８】
当然ながら、他の実施例において、蓋体２の内縁を環状凹溝３の内壁と連結させ、蓋体２の外縁と環状凹溝３の外壁との間に間隙を設けて、ゴミ袋の出口を形成してもよい。得られる有益な効果は前述の効果とほぼ一致するため、説明を省略する。
【００５９】
蓋体２の外縁の一つの側辺は環状凹溝３の外壁と回動可能に連結される。ここで、回動可能な連結とは、回転軸を介した連結であってもよく、折目を利用した連結固定であってもよく、当然ながらその他の回動可能な連結形式であってもよい。これにより、ゴミ袋４を環状凹溝３内に入れようとするときに、蓋体２を回動させれば環状凹溝３の開口を開放することができ、ゴミ袋４を環状凹溝３内に留めようとするときに、蓋体２を回動させれば環状凹溝３の開口部を覆うことができるため、構造が簡易で実現が容易であり、構造の安定性の向上に利する。
【００６０】
さらに、蓋体２の外縁に折り曲げ構造６が設けられる。該折り曲げ構造６は環状凹溝３の外壁の方向を向いており、また、折り曲げ構造６は外壁と締まり嵌めされる。これにより、蓋体２がこの締まり嵌め構造によって環状凹溝３の開口部に堅固に取り付けられ、構造の安定性を向上させることができる。当然ながら、折り曲げ構造６と外壁はバックル構造によって互いに係合されてもよく、それにより、ゴミ袋ユニットの一体化のレベルをより一層向上させ、ゴミ袋ユニットの着脱を容易にすることができる。
【００６１】
ここで、バックル構造は、互いに係合する係止溝と係止ブロックとを含んでもよい。係止溝と係止ブロックの一方は折り曲げ構造６の内側に設置され、他方は環状凹溝３の外壁に設置される。折り曲げ構造６が環状凹溝３の外壁の近傍に位置するとき、係止ブロックは係止溝の内部に嵌合されて、係止を実現することができる。このような設置により、バックル構造の実現が容易になり、操作は簡便となり、蓋体２と収納本体１との連結安定性が向上する。
【００６２】
一部の実施例において、収納本体１と蓋体２の全体形状は、各々の角が面取りされた方形環状構造とされる。ゴミ箱の多くは方形であるため、このような設置により、方形のゴミ箱への応用をより容易にすることができ、また、ゴミ箱との連結をより堅固にすることができるため、ゴミ袋ユニットがゴミ箱内で回転して移動することを効果的に防止することができる。該ゴミ袋ユニットの形状は方形環状に限らず、円形環状であってもよいし、その他の形状であってもよい。
【００６３】
収納本体１および蓋体２の構造はプラスチック材料で成形されてもよく、段ボールを折り畳んで接着成形されてもよく、または、金属を折り畳んで曲げて成形されてもよい。これにより、材料の入手および加工が容易になり、様々な場面における要求に応じることができる。当然ながら、具体的な状況に応じて、その他の材料であってもよい。
【００６４】
前述の実施例およびその好適な態様の内容を総合して、本ゴミ袋ユニットについて具体的に説明する。
【００６５】
本願は、中央部に開孔を含むコンテナ式構造（すなわち、ゴミ袋コンテナ）を採用し、ゴミが必ず中央部の開孔を通過してゴミ袋４の中に落ちるゴミ袋ユニットを提供する。該コンテナ式構造は、形式上、蓋体２と収納本体１とに分けることができ、収納本体１にはゴミ袋４を装入するための環状凹溝３が設けられ、蓋体２は環状凹溝３の開口部を覆い、かつ、収納本体１と一体に連結される。ここで、該蓋体２および収納本体１の形状は方形でも円形でもよく、具体的にこの構造を使用するゴミ箱の形状に応じて変更することができる。該コンテナ式構造（すなわち、ゴミ袋コンテナ）は、一つの部品のみからなる一体型構造の態様でもよく、前記蓋体２が一つの側辺を介して前記収納本体１と回動可能に連結されて一体型構造を形成してもよく、蓋体２と収納本体１とを二つの部品に分離して組み立てて使用してもよい。該蓋体２は、テープ、金属ワイヤまたはその他の組み合わせでゴミ袋４を該収納本体１内に保持するように設置されてもよい。該蓋体２および収納本体１はプラスチック材料で成形されてもよく、段ボールを折り畳んで接着成形されてもよく、または、金属を折り畳んで曲げて成形されてもよい。該収納本体１の環状凹溝３の内壁には環状の樋（すなわち、折り返し縁構造）が設けられるが、環状の樋の位置は環状凹溝３の内壁に限定されず、外壁またはその他の位置に分布してもよい。
【００６６】
さらに、ミシン目が入っていない一体型の筒状ゴミ袋４を含む。ゴミ袋４の一端は、新しいゴミ袋４に交換した後で最初に使用する際の自動取り出しを容易にするために、シールされてもよいし、両端がいずれもシールされなくてもよい。使用のために装入するときは、手作業で、または機械によって、ゴミ袋４をその軸方向に沿って蛇腹状に折り畳んで環状にし、収納本体１内に入れる。ここで、収納本体１は、一般的には開孔を有するコンテナ式構造であるが、コンテナ式構造に限定されず、溝状構造、環状構造および相応の固定ラック構造であってもよい。通常の使用の際には、該ゴミ袋４は一般的にゴミ箱の内部の上部位置に収納されるが、ゴミ箱の内部の任意の位置に収納されてもよい。特に、環状に折り畳まれた該ゴミ袋４は、一般的にはゴミ箱の入口と平行になるように配置される。
【００６７】
該ゴミ袋ユニットの組み立てステップには、
手作業で、または一定の工具によって、ミシン目が入っていない筒状ゴミ袋４を軸方向に沿って折り畳んで環状にし、ゴミ袋４の長さおよび直径は、使用要件によりカスタマイズされるステップと、
折り畳まれた環状のゴミ袋４を前記環状凹溝３の内部に形成されたゴミ袋４の収納領域に押し込むステップと、
環状凹溝３内に押し込まれた筒状のゴミ袋４の一端を引き出してシールするステップであって、シール方式はヒートシール方式であり、ただし、ヒートシールによるシールに限定されず、一つ目のゴミ袋４の自動取り出しが容易なその他のシール方式を用いてもよいステップと、
蓋体２を回動させて収納本体１の環状凹溝３の開口部を覆うステップと、が含まれる。蓋体２には折り曲げ構造６が設けられているため、蓋体２と収納本体１とを迅速に結合させることができる。このようにして該ゴミ袋ユニットの組み立て作業を完了する。
【００６８】
本願はさらに、前述の実施例に記載のゴミ袋ユニットを含むスマートゴミ箱を提供する。このようなスマートゴミ箱は、ゴミ袋の全自動での装着および包装機能を容易に実現することができ、ゴミ箱の自動化およびスマート化のレベルをより一層向上させる。また、製造、保管および輸送の過程におけるゴミ袋４の破損の発生が効果的に防止される。環状凹溝３の大きさは、ゴミ箱の使用密度および使用する場面に合わせて異なる大きさに設定することができ、コンテナ内のゴミ袋４の収容量や包装長さの調整が容易で、資源を節約することができる。ロール単位でゴミ袋を交換する場合に比べて、ゴミ袋の交換がより容易で、効率の向上に利する。ゴミ袋ユニットは一体型構造であり、組み立てが容易で、製造および設置コストの低減に利する。この有益な効果は、前述のゴミ袋ユニットとほぼ類似するため、説明を省略する。
【００６９】
好ましくは、図１３に示すように、前記収納本体１と前記スマートゴミ箱の筒体とは一体型構造である。すなわち前記収納本体１とゴミ箱本体１４とが一体成形され、プレスカバー１６がゴミ袋ユニットの蓋体となる。
【００７０】
実施例２
図６〜１１に示すように、本スマートゴミ箱は、ゴミ袋ユニット位置決め機構をさらに含む。ここで、ゴミ袋ユニット１０はゴミ袋コンテナおよびゴミ袋コンテナ内に装入されたゴミ袋４（図４および図５を参照）を含み、ゴミ袋コンテナは、ゴミ箱本体１４内に設置される。ゴミ箱内へのゴミの投入に影響しないように、ゴミ袋コンテナにはゴミを通過させる第三開孔１３が設けられる。ゴミ箱本体１４内には、ゴミ袋コンテナを支持する収納ラック１５がさらに設置されるとともに、ゴミ箱本体１４へのゴミの投入を円滑にするために、収納ラック１５には、第三開孔１３に対応する第四開孔１７が設けられている。ゴミ袋コンテナの交換を容易にするために、ゴミ箱本体１４には、ゴミ袋コンテナの出し入れに供する通路がさらに設けられている。
【００７１】
当業者であれば、前記ゴミ袋ユニット１０がゴミ袋コンテナのみを含む構成であってもよいことを容易に理解するであろう。前記ゴミ袋４を前記ゴミ袋コンテナと一緒に組み立てて販売する必要はなく、ユーザはゴミ袋４を別途購入して、使用時にゴミ袋コンテナ内に取り付けてもよい。
【００７２】
さらに、通路はゴミ箱本体１４の頂部または側部に設けられてもよい。通路がゴミ箱本体１４の頂部に設けられた場合には、ゴミ箱本体１４の高さ方向に沿って使い終わったゴミ袋コンテナを取り出し、それから新しいゴミ袋コンテナを反対方向に沿って収納ラック１５に入れればよい。通路がゴミ箱本体１４の側部に設けられた場合には、ゴミ箱の一側から収納ラック１５を引き出して、使い終わったゴミ袋コンテナを取り出し、それから新しいゴミ袋コンテナを収納ラック１５に入れて、反対方向に沿ってゴミ箱本体１４内に押し込めばよい。これにより、ゴミ袋コンテナの取り出しが容易になるだけでなく、ゴミ箱内のスペースを大幅に節約することもできる。当然ながら、実際の具体的な状況に応じて、通路をその他の位置に設けてもよい。
【００７３】
従来技術においては、ゴミ袋を使い切ると、ゴミ箱本体１４内からゴミ袋収納ラックを取り外して、新しいゴミ袋をゴミ袋収納ラックの収納スペースに入れた後、再びゴミ袋収納ラックをゴミ箱本体内に取り付けていたが、着脱が面倒であり、時間と労力を要していた。前述の設置によれば、ゴミ袋を使い切ったときに、ゴミ袋コンテナを取り出して、ゴミ袋が装入されている新しいゴミ袋コンテナを入れるだけでよいため、ゴミ袋収納ラックを着脱する必要がなく、交換が容易であり、上記の課題が解決される。
【００７４】
本実施例の好適な態様において、収納ラック１５とゴミ箱本体１４とは一体型構造とされてもよく、実際の具体的な状況に応じて、分離型構造とされてもよい。
【００７５】
第一の好適な態様において、図７に示すように、収納ラック１５とゴミ箱本体１４とは一体型構造とされる。好ましくは、このときの通路はゴミ箱本体１４の頂部に設けられ、収納ラック１５は環状凹溝構造とされ、ゴミ袋コンテナを装入するための凹溝構造は、ゴミ箱本体１４の内周方向を囲むように設けられる。好ましくは、収納ラック１５はゴミ箱本体１４の内壁の頂部に設置される。このようにして、ゴミ箱内のスペースを節約することができ、袋のスムーズな引き出しが保証される。
【００７６】
ゴミ袋コンテナを固定するために、位置決め機構はゴミ袋コンテナ固定用のプレスカバー１６をさらに含む。プレスカバー１６はゴミ袋コンテナの上方に押し付けられ、かつ、プレスカバー１６には第三開孔１３および第四開孔１７に対応する第五開孔１８が設けられる。すなわち、プレスカバー１６の断面形状は、ゴミ袋コンテナ１１の断面形状と同じであり、かつ、プレスカバー１６とゴミ箱本体１４とは取り外し可能に連結される。
【００７７】
さらに、本実施例において、プレスカバー１６とゴミ箱本体１４との間には吸着装置が設けられる。具体的には、吸着装置は強磁気吸着構造であってもよい。
【００７８】
前記強磁気吸着構造は、プレスカバー１６上に設けられた第一磁石と、ゴミ箱本体内に設けられた第二磁石とを含み、第一磁石の磁力と第二磁石の磁力とが吸引し合って、プレスカバー１６をゴミ袋コンテナの上方に押し付ける。
【００７９】
当業者であれば、前記強磁気吸着構造が一つの磁石と一つの鉄ブロックからなる構造であってもよく、両者が吸引し合うことによってプレスカバーをゴミ袋コンテナの上方に押し付け、前記磁石と鉄ブロックのうちの一方をプレスカバー１６上に設け、他方をゴミ箱本体１４内に設けてもよいことを容易に理解するであろう。
【００８０】
本実施例において、ゴミ袋コンテナを交換するステップは、以下の通りである。
【００８１】
まずゴミ箱の回動蓋を開ける。それからプレスカバー１６を取り外す。ゴミ箱の高さ方向に沿って、使い終わったゴミ袋コンテナを取り出す。新しいゴミ袋コンテナを反対方向に沿って収納ラック１５に入れる。最後に、プレスカバー１６を被せると、ゴミ袋コンテナの交換が完了し、続けてゴミ箱を使用することができる。
【００８２】
第二の好適な態様においては、図８に示すように、収納ラック１５とゴミ箱本体１４とは分離型構造とされる。好ましくは、このときの通路はゴミ箱本体１４の側部に設けられ、収納ラック１５とゴミ箱本体１４との間にイジェクト機構または電動イジェクト機構が設けられ、収納ラック１５は、イジェクト機構の作用で通路に排出されるか、または、通路内に係止される。例えば、電動イジェクト機構は、モータと、モータに接続された伝動装置とを含み、モータは、伝動装置を介して収納ラック１５を押し出すことができる。電動イジェクト機構は、従来技術におけるコンピュータの光学ドライブのイジェクト機構に類似したものであってもよい。
【００８３】
なお、図９および図１０に示すように、従来技術におけるメモリカードのイジェクト機構を参照して、本実施例におけるイジェクト機構は、具体的にはスライドレール２０１、イジェクト装置２０２およびバネ２０３を含む。スライドレール２０１は、ロック部材２０８、係合位置２０６および押し出し位置２０７を有する。イジェクト装置２０２は、スライドレール２０１上に取り付けられ、係合位置２０６と押し出し位置２０７との間を摺動して、収納ラック１５を排出することができる。バネ２０３は、スライドレール２０１とスタッド２０４との間を連結して、排出を行う弾発力を提供する。イジェクト装置２０２をスライドレール２０１の押し出し位置２０７から係合位置２０６まで押し込むと、イジェクト装置２０２がロック部材２０８に引っ掛かり、かつ、これによりバネ２０３が伸びて弾発力が生じ、このとき、収納ラック１５は通路内部に押し込まれて係止される。イジェクト装置２０２が再び押されると、イジェクト装置２０２はロック部材２０８から解放されて、摺動しながら押し出し位置２０７に戻り、排出を行う弾発力によって収納ラック１５を排出する。
【００８４】
当然ながら、他の実施例において、ゴミ箱本体１４の側部から手作業でゴミ袋コンテナを引き出してもよいし、または、その他の方式で引き出してもよいが、ここでは詳細な説明を省略し、実際の具体的な状況に応じて決定する。
【００８５】
具体的には、図１１に示すように、本実施例におけるスマートゴミ箱の作業原理は、以下の通りである。まず、電力入力線２３を介して電池をフル充電し、スマートゴミ箱を適切な位置に置く。ユーザが近づいてスマートゴミ箱にゴミを捨てようとすると、スマートゴミ箱上の赤外線センサモジュールによって感知され、回動蓋２０が自動で開く。ユーザが立ち去ると、回動蓋２０は自動で閉じる。スマートゴミ箱の中身が一杯になり、ゴミ袋を包装する必要が生じたときは、パネル２１のシール／袋交換ボタンを押すだけで、スマートゴミ箱内のチップ（例えば、マイクロ・コントローラ・ユニット）が、スマートゴミ箱が包装プロセスを実行するように制御を行う。内筒モジュール２２を外側に４５度傾けて内筒モジュール２２の口部を露出させると、ユーザはゴミで一杯になったゴミ袋を捨てることができる。その後、電池および回路基板のシングルチップマルチプロセッサは、内筒モジュール２２に密閉空間が形成されるように、スマートゴミ箱の開放構造を閉じる。スマートゴミ箱内のチップ（例えば、マイクロ・コントローラ・ユニット）は、スマートゴミ箱が袋の交換プロセスを実行するように制御を行い、プロセスの実行が完了すると、ユーザはまたゴミ箱にゴミを捨てることができるようになる。
【００８６】
なお、本明細書に記載の「第一」、「第二」、「第三」、「第四」、「第五」などの語は、具体的な順序を限定するものではなく、単に各部品または機能を区別するためのものである。
【００８７】
以上の説明は、本発明の具体的な実施形態にすぎず、本発明の保護範囲はこれに限定されるものではい。当業者であれば、本発明に開示された技術範囲において、変更または代替に容易に想到することができ、これらはすべて本発明の保護範囲内に含まれる。したがって、本発明の保護範囲は、「特許請求の範囲」の記載に基づいて定められるべきである。
【符号の説明】
【００８８】
１  収納本体
２  蓋体
３  環状凹溝
４  ゴミ袋
５  折り返し縁構造
６  折り曲げ構造
１０  ゴミ袋ユニット
１１  第一開孔
１２  第二開孔
１３  第三開孔
１４  ゴミ箱本体
１５  収納ラック
１６  プレスカバー
１７  第四開孔
１８  第五開孔
２０  回動蓋
２１  パネル
２２  内筒モジュール
２３  電力入力線
２０１  スライドレール
２０２  イジェクト装置
２０３  バネ
２０４  スタッド
２０６  係合位置
２０７  押し出し位置
２０８  ロック部材
【図１】
2020007152.tif 000003
【図２】
2020007152.tif 000004
【図３】
2020007152.tif 000005
【図４】
2020007152.tif 000006
【図５】
2020007152.tif 000007
【図６】
2020007152.tif 000008
【図７】
2020007152.tif 000009
【図８】
2020007152.tif 000010
【図９】
2020007152.tif 000011
【図１０】
2020007152.tif 000012
【図１１】
2020007152.tif 000013
【図１２】
2020007152.tif 000014
【図１３】
2020007152.tif 000015